(57)【要約】      （修正有）【課題】製造が容易で、使用者が確実に作業をおこなうことのできる園芸用の除草具を提供する。【解決手段】１枚の金属板を円弧状に折り曲げて主部２，除草操作部３を造り、主部は対向に弧状にし、除草部は平面状にして先端部をプレス加工を行い尖鋭の刃先部４とする。更に、前記刃先部は内向きにプレス加工を行い内向きの刃付けにし、内側の接触面は平面になるよう研磨しているので、製造が容易で、使用者が確実に作業を行うことができる。除草操作部には移動自在に土砂取り体６を設け、作業中に土砂が付着して除草ができなくなるような現象が生じることを防止する。【選択図】図１
0003145123.tif 000002
【実用新案登録請求の範囲】
【請求項１】
幅の小さい１枚の金属板を弧状に折り曲げて円弧部とこの円弧部より延びる主部と更に延びて両先端部を対峙させ一定の角度を維持し、先端を尖らせた除草操作部とからなり、前記主部は対向に弧状にし、除草操作部は平面状にして先端部をプレス加工により刃付けによりを行い先鋭の刃先部としたことを特徴とした園芸用除草具。
【請求項２】
前記刃先部は対向する内向きにプレス加工を行い、内向きの刃付けにし、内側の接触面は平面になるよう研磨仕上げしてなる前記請求項２記載の園芸用除草具。
【請求項３】
前記除草操作部は、その平面部に長さ方向に延びるスリットを設け、該スリットに移動自在の土砂取り体を設けた前記請求項３記載の園芸用除草具。
【請求項４】
前記土砂取り体は、Ｕ字状をして弾性を備え、前記主部の弧状内に収納されて土砂取り体と共に長さ方向に移動するようにし、土砂つきの野菜、観葉植物の苗の移植の際土砂つきの苗を除草操作部より先端の刃先部の方向に押し出し操作できるように配置した前記請求項４記載の園芸用除草具。
【考案の詳細な説明】
【技術分野】
【０００１】  本考案は、庭園、田畑など雑草の除草、野菜などの移植に使用する除草具の改良に関するものである。【０００２】  更に、土砂付きの苗を移植する際に苗の根部土砂を動かないようにして外部の離れをよくし、苗と共に刃先部に付着する土砂を刃先方向に移動するようにした除草具に関するものである。
【背景技術】
【０００３】  従来、庭園、田畑などに生育する雑草は鍬、鎌などで削りとるか一つずつ手で引き抜とるかの極めて面倒な作業を必要としていた。また、野菜、観葉植物の移植には片手スコップにより掬い取りの方法がとられ、土砂の散乱を招く恐れがあった。【０００４】  戦記の鍬、鎌などに代えて、片手に持って雑草を根元から切断し、挟み取るような簡単な器具が提唱され、実用にも供されている。また、野菜、観葉植物などの移植には作業時には専用の器具が見当たらず直接、人の手で行う方法がとられているのが現状である。
【考案の開示】
【考案が解決しようとする課題】
【０００５】  上記従来技術の園芸用除草具は、その製造には工数が多く且つ加工が複雑なためコストが高くなり販売価格の高揚を招く結果となっているのが現状である。【０００６】  上記問題点に加え、この除草具を使用しようとすると、粘性の大きい土砂が除草具に付着してそのままでは充分な機能を発揮する事が出来ない状態となる場合が生じることがある。【０００７】  本考案は、このような課題を解決し、除草具の製造を改善してコストの軽減を図り、草取り作業の効率を向上しようにしたものである。
【課題を解決するための手段】
【０００８】  本考案は、幅の小さい１枚の金属板を弧状に折り曲げて円弧部とこの円弧部より延びる主部と更に延びて両先端部を対峙させ一定の角度を維持し、先端を尖らせた除草操作部とからなり、前記主部は対向に弧状にし、除草操作部は平面状にして先端部をプレス加工により刃付けを行い尖鋭の刃先部としたことを特徴としている。【０００９】  更に、前記刃先部は対向する内向きにプレス加工を行い内向きの刃付けにし、内側の接触面は平面になるよう研磨仕上げしてなることを特徴としている。【００１０】  また、前記除草操作部は、その平面部に長さ方向に延びるスリットを設け、該スリットに移動自在の土砂取り体を設けたことを特徴としている。【００１１】  また、前記土砂取り体は、Ｕ字状をして弾性を備え、前記主部の弧状内に収納されて土砂取り体と共に長さ方向に移動するようにし、土砂つきの野菜、観葉植物の苗の移植の際土砂つきの苗を除草操作部より先端の刃先部の方向に押し出し操作できるように配置したことを特徴としている。
【考案の効果】
【００１２】  本考案の園芸用除草具は、１枚の金属板を円弧状に折り曲げて主部、除草操作部を造り、主部は対向に弧状にし、除草部は平面状にして先端部をプレス加工を行い尖鋭の刃先部としたので、製造上の無駄をなくしてコストの低減を図ることができる。【００１３】  更に、前記刃先部は内向きにプレス加工を行い内向きの刃付けにし、内側の接触面は平面になるよう研磨しているので、製造が容易で、使用者が確実に作業を行うことの除草具とすることができる。【００１４】  これに加えて、除草操作部には移動自在に土砂取り体を設けたので、作業中に土砂が付着して除草が出来なくなるような現象が生じることを防止する。【００１５】  また、土砂付きの苗の植え替えには、除草操作部にて摘み出した苗を除草操作部より先端の刃先部の方向に押し出し操作できるようにしたので、人の手を汚さずに作業を行うことが出来る。
【考案を実施するための最良の形態】
【００１６】  本考案の園芸用除草具を、図に基づいて説明する。
図１は、本考案の園芸用除草具の斜面図、図２は、土砂取り体を除草操作部より取り外した状態の斜面図である。【００１７】  本考案は、幅の小さい金属板例えば１０〜１５ミリメートルの薄いステンレス板を二叉状に且つ弧状に折り曲げて円弧部１を造り、この円弧部より延びる主部２、２と更にこれより延びて両先端部を対峙させ一定の角度を維持し、先端を尖らせた除草操作部３，３とから構成している。【００１８】  前記円弧部は、円弧状に折り曲げることによりそれ自身のもつ金属板の性質により、バネ作用を行って弾性力が付与される。【００１９】  前記主部２、２は対向して弧状となり、除草操作部３，３は平面状にして先端部を山状に尖らせて、プレス加工により刃付けを行い尖鋭の刃先部４，４を形成している。【００２０】  前記主部２，２及び除草操作部３，３は常態では一定の間隔を維持し、夫々外側からの押圧により刃先部４，４が接近して接触し、押圧を解除すると元の間隔に復帰するようにしている。【００２１】  前記刃先部４，４は対向する方向即ち内向きにプレス加工で成型し、お互いの内側を研磨仕上げをしてバリを取り除いて接触面を平面にしている。【００２２】  前記除草操作部３，３はその平面部に長さ方向に延びるスリット５，５を設け、該スリットに沿って移動自在の土砂取り体６，６を配設し、除草操作部３，３に付着した粘性の大きい土砂を土砂取り体６，６の長さ方向への移動により離脱するようにしている。【００２３】  前記土砂取り体６，６は、前記主部の幅よりその幅が小さくて、Ｕ字状をして弾性を備え、前記主部２，２の弧状内に収納されてその長さ方向に移動自在に配置される。また、Ｕ字状の先端には夫々両側に拡がる爪片７，７があり、外側に出る爪には切り溝８，８があり、この切り溝８，８を利用して、この爪片７，７を前記スリット５，５に係合して摺動するようにしている。【００２４】  前記爪片７，７は、除草操作部３，３の面より両側に翼状に突出して苗などの移植時には押し出し機能を行う程度の張り出しとなっている。【００２５】  前記主部２，２と除草操作部３，３との連結部には外向きに膨らんだ膨出堤部９，９があり、この内側の溝条に前記土砂取り体６が収納され、長さ方向に移動自在となる。【００２６】  前記土砂取り体６は、主部２，２に直交する方向よりその先端に設けた爪片７，７をスリット５，５に合わせて嵌め込み、切り溝８，８をスリット５，５に嵌め込んだ状態で図１の状態に回転して正常な位置に配置する。
【図面の簡単な説明】
【００２７】
【図１】  本考案の園芸用除草具の斜面図
【図２】  同じく分解斜面図
【符号の説明】
【００２７】  １  円弧部
２  主部
３  除草操作部
４  刃先部
５  スリット
６  土砂取り体
７  爪片
８  切り溝
９  膨出堤部
【図１】
0003145123.tif 000003
【図２】
0003145123.tif 000004
【手続補正書】
【提出日】平成20年6月2日(2008.6.2)
【手続補正１】
【補正対象書類名】実用新案登録請求の範囲
【補正対象項目名】全文
【補正方法】変更
【補正の内容】
【実用新案登録請求の範囲】
【請求項１】
幅の小さい１枚の金属板を弧状に折り曲げて円弧部とこの円弧部よりのびる主部と更に延びて両先端部を対峙させ一定の角度を維持し、先端を尖らせた除草操作部とからなり、前記主部は弧状に対向し、除草操作部は平面状にして先端部をプレス加工により刃付けを行い尖鋭の刃先部としたことを特徴とした園芸用除草具。
【請求項２】
前記刃先部は対向する内向きにプレス加工を行い、内向きの刃付けにし、内側の接触面は平面になるよう研磨仕上げしてなる前記請求項１記載の園芸用除草具。
【請求項３】
前記除草操作部は、その平面部に長さ方向に延びるスリットを設け、該スリットに移動自在の土砂取り体を設けた前記請求項２記載の園芸用除草具。
【請求項４】
前記土砂取り体は、Ｕ字状をして弾性を備え、前記主部の弧状内に収納されて土砂取り体と共に長さ方向に移動するようにし、土砂つきの野菜、観葉植物の苗の移植の際土砂つきの苗を除草操作部より先端の刃先部の方向に押し出し操作できるように配置した前記請求項３記載の園芸用除草具。